(57)【要約】      （修正有）【課題】装置全体のデザイン性を損なうことなく、操作のための良好な作業性を確保できる遠隔制御装置の収容構造及び扇風機を提供する。【解決手段】装置本体１００を作動制御する遠隔制御装置４０の収容構造であって、前記装置本体１００を持上げまたは移動可能な把持部３０が前記装置本体１００の上部側に設けられ、前記把持部３０に前記遠隔制御装置４０を装入可能な凹部３０ａが形成され、前記凹部３０ａに装入された前記遠隔制御装置４０を保持する保持機構５０が設けられ、前記凹部３０ａが前記把持部３０の上面に長手方向に沿って形成され、前記遠隔制御装置４０の操作部４３が操作可能な状態で前記凹部３０ａに装入される。【選択図】図３
2015158183.tif 000002
【特許請求の範囲】
【請求項１】
装置本体を作動制御する遠隔制御装置の収容構造であって、
前記装置本体を持上げまたは移動可能な把持部が前記装置本体の上部側に設けられ、前記把持部に前記遠隔制御装置を装入可能な凹部が形成され、前記凹部に装入された前記遠隔制御装置を保持する保持機構が設けられていることを特徴とする遠隔制御装置の収容構造。
【請求項２】
前記凹部が前記把持部の上面に長手方向に沿って形成され、前記遠隔制御装置の操作部が操作可能な状態で前記凹部に装入されることを特徴とする請求項１記載の遠隔制御装置の収容構造。
【請求項３】
前記凹部は、前記遠隔制御装置が装入された状態で前記凹部の上端部が前記遠隔制御装置の上端部より上方に位置するように形成されていることを特徴とする請求項１または２記載の遠隔制御装置の収容構造。
【請求項４】
前記遠隔制御装置の一端面に遠隔制御用の無線信号出力部が設けられ、前記凹部の前記信号出力部に対向する部位に開口が形成されていることを特徴とする請求項１から３の何れかに記載の遠隔制御装置の収容構造。
【請求項５】
台座に立設された支柱に電動機ケーシングが取り付けられ、前記電動機ケーシングの上部に請求項１から４の何れかに記載の遠隔制御装置の収容構造を備えた把持部が設けられていることを特徴とする扇風機。
【発明の詳細な説明】
【技術分野】
【０００１】
本発明は、装置本体を作動制御する遠隔制御装置の収容構造及び当該収容構造を備えた扇風機に関する。
【背景技術】
【０００２】
扇風機や暖房機等、家庭やオフィスで様々な電気機器が使用されている。そして、これら電気機器の利便性をあげるために遠隔制御装置（以下、単に「リモコン」と表記する場合もある。）が提供されている。
【０００３】
このような電気機器の装置本体には、使用しない時にリモコンを紛失しないように、リモコンを取付け可能な収容構造が組み込まれている。
【０００４】
例えば、特許文献１には、ファンモータを支持する支柱を設けた基台部と、前記支柱の側面に設けた一対の縦溝と、この縦溝に係合する爪を両端に有し、前記支柱の略半面部分を帯状に囲むＣ型形状でリモコン用の掛部を設けたリモコンホルダーとを備え、前記リモコンホルダーの爪を前記支柱の縦溝に弾性係合して保持させる構成とした扇風機が提案されている。
【０００５】
また、特許文献２には、リモコンの置き忘れや紛失を防止し、遠隔操作可能な状態でコンパクトにリモコンを収納することが可能な扇風機を提供することを目的として、駆動する電動機を支持し制御部を備えた支持部と、この支持部に嵌合可能な基台と、遠隔操作可能なリモコンとを備え、前記リモコンの面が前記支持部の面と同一面か又は前記支持部の面よりも突出するように、前記リモコンを収納する収納部を前記支持部に設けたことを特徴とする扇風機が提案されている。
【先行技術文献】
【特許文献】
【０００６】
【特許文献１】特開２００３−２９３９８３号公報
【特許文献２】特開２００５−２４８７３５号公報
【発明の概要】
【発明が解決しようとする課題】
【０００７】
しかし、特許文献１に開示されたリモコンの収容構造では、ファンモータを支持する支柱に取り付けられたリモコンホルダーによって扇風機全体としての美観が損なわれるという問題があり、またリモコンを使用する際に中腰姿勢で前屈みになってリモコンホルダーに掛けられたリモコンを取り外す必要があり、特に高齢者にとって負担が大きく、場合によっては腰痛を誘発する虞があるという問題もあった。
【０００８】
また、操作が必要になる度に前屈みになってリモコンホルダーに掛けられたリモコンを操作するのは非常に煩雑であるため、リモコンホルダーからリモコンを取り外して手元に置いておく場合が多く、その結果、リモコンを紛失することも度々発生するという問題もあった。
【０００９】
特許文献２に記載されたリモコンの収容構造では、基台に嵌合された支持部にリモコン収容部が設けられ、リモコン収容部にリモコンが収容された状態で操作可能に構成されているため、リモコンの置き忘れや紛失を回避できるが、床面近くに設置されたリモコンを操作するために、上述と同様に中腰姿勢で前屈みにならざるを得ないため作業性が悪くなるという問題があった。
【００１０】
また、リモコン収納部の底面に構成された操作部を操作することにより、扇風機本体の各部の動作を制御できるように構成されているが、主操作装置となるリモコンに対して副操作装置という位置付けで、一つの操作部に複数の機能を集約しているため、作業性のみならず操作性も悪いという問題もあった。
【００１１】
同様の問題は扇風機に限るものではなく、暖房機等のその他の電気機器であっても同様であった。
【００１２】
本発明の目的は、上述した従来の問題点に鑑み、装置全体のデザイン性を損なうことなく、操作のための良好な作業性を確保できる遠隔制御装置の収容構造及び扇風機を提供する点にある。
【課題を解決するための手段】
【００１３】
上述の目的を達成するため、本発明による遠隔制御装置の収容構造の第一の特徴構成は、特許請求の範囲の書類の請求項１に記載した通り、装置本体を作動制御する遠隔制御装置の収容構造であって、前記装置本体を持上げまたは移動可能な把持部が前記装置本体の上部側に設けられ、前記把持部に前記遠隔制御装置を装入可能な凹部が形成され、前記凹部に装入された前記遠隔制御装置を保持する保持機構が設けられている点にある。
【００１４】
上述した構成によれば、操作者は起立姿勢で装置本体の上部側に設けられた把持部を掌で支えて持上げたり移動させたりすることができ、そのような把持部に形成された凹部に遠隔制御装置が装入され、保持機構によって容易に離脱しないように保持されるので、装置全体として纏まりのある美観を損ねることの無い遠隔制御装置の収容構造が実現でき、凹部に遠隔制御装置を装入し或いは凹部から遠隔制御装置を取り外す際でも腰を屈めることなく起立姿勢を保ったままで作業することができるようになる。
【００１５】
同第二の特徴構成は、同請求項２に記載した通り、上述の第一の特徴構成に加えて、前記凹部が前記把持部の上面に長手方向に沿って形成され、前記遠隔制御装置の操作部が操作可能な状態で前記凹部に装入される点にある。
【００１６】
把持部の上面に長手方向に沿って形成された凹部に遠隔制御装置が装入されているので、装置本体を持上げたり移動させたりするために当該把持部を下方から掌で支えても、遠隔制御装置の操作部を誤って操作するようなことが無い。また、凹部に遠隔制御装置が装入された状態でその操作部が操作可能なため、中腰姿勢で前屈みになって操作する必要が無く、操作者は起立姿勢を保った状態で操作部を操作できるようになるので操作時の作業性も著しく改善される。
【００１７】
同第二の特徴構成は、同請求項２に記載した通り、上述の第一または第二の特徴構成に加えて、前記凹部は、前記遠隔制御装置が装入された状態で前記凹部の上端部が前記遠隔制御装置の上端部より上方に位置するように形成されている点にある。
【００１８】
操作者が把持部を掌で支える際に、把持部に巻きつけた指先が凹部に収容された遠隔制御装置に接触するようなことがあっても、凹部の上端部が遠隔制御装置の上端部より上方に位置するように形成されているので指等の動きが制限され、意図せずに遠隔制御装置の操作部を操作してしまうようなことが効果的に回避できる。
【００１９】
同第四の特徴構成は、同請求項４に記載した通り、上述の第一から第三の何れかの特徴構成に加えて、前記遠隔制御装置の一端面に遠隔制御用の無線信号出力部が設けられ、前記凹部の前記信号出力部に対向する部位に開口が形成されている点にある。
【００２０】
凹部に装入された状態で遠隔制御装置の操作部が操作されると、遠隔制御装置に備えた無線信号出力部から遠隔操作用の信号、例えば赤外線信号が出力される。そのような遠隔操作用の信号は凹部で遮断されたり減衰したりすることなく、信号出力部に対向する部位に形成された開口から確実に外部空間に伝播するので、別途の受信部を把持部に設けなくてもその状態で遠隔制御装置を操作して装置本体を作動させることができるようになる。
【００２１】
本発明による扇風機の特徴構成は、同請求項５に記載した通り、台座に立設された支柱に電動機ケーシングが取り付けられ、前記電動機ケーシングの上部に上述した第一から第四の何れかの特徴構成を備えた遠隔制御装置の収容構造を備えた把持部が設けられている点にある。
【００２２】
上述の構成によれば、遠隔制御装置がその存在を主張するかのような態様で装置本体に装着されることが無いので、装置全体のデザイン性を損なうことが無い。また、立位姿勢で容易に操作できるので足腰に負担がかかることなく扇風機を操作することができるようになる。
【発明の効果】
【００２３】
以上説明した通り、本発明によれば、装置全体のデザイン性を損なうことなく、操作のための良好な作業性を確保できる遠隔制御装置の収容構造及び扇風機を提供することができるようになった。
【図面の簡単な説明】
【００２４】
【図１】（ａ）は本発明による扇風機の斜視図、（ｂ）は同平面図
【図２】（ａ）は本発明による扇風機の背面図、（ｂ）は扇風機を分解してコンパクトに収容された状態を示す斜視図
【図３】（ａ）は本発明による遠隔制御装置の収容構造を示す要部の斜視図、（ｂ）は把持部と把持部に装入される遠隔制御装置の斜視図
【図４】（ａ）は別実施形態を示す把持部と把持部に装入される遠隔制御装置の斜視図、（ｂ）はさらに異なる実施形態を示す把持部と把持部に装入される遠隔制御装置の斜視図
【図５】（ａ）は本発明による遠隔制御装置の収容構造を示す要部の背面図、（ｂ）は別実施形態を示し、遠隔制御装置の収容構造を示す要部の背面図
【図６】（ａ）から（ｈ）は遠隔制御装置に備えた操作スイッチと、遠隔制御装置が装入された把持部の形状の多様な実施形態の説明図
【発明を実施するための形態】
【００２５】
以下に、本発明による遠隔制御装置の収容構造及び扇風機を図面に基づいて説明する。
図１（ａ），（ｂ）には、遠隔制御装置４０を含み、装置本体である扇風機１００の外観が示されている。扇風機１００は、平面視円形の樹脂製の台座１０と、台座１０の中心部から僅かに偏った位置に立設された樹脂製の支柱１２と、支柱１２の先端に取付けられた略円筒形状の樹脂製の電動機ケーシング２０とを備えて構成されている。
【００２６】
台座１０の中心部を挟んで支柱１２の立設位置とは反対側に外縁が長円形状の操作パネル１１が設置されている。操作パネル１１には、扇風機１００に給電する電源操作ボタン１１ａ、風量調節ダイヤル１１ｂ、首振り操作ボタン１１ｃ、タイマー設定ボタン１１ｄ等が設けられている。また、支柱１２の下端部には遠隔制御装置４０から出力される制御用の無線信号、本実施形態では赤外線信号を受信する受光部１４を備えている。受光部１４は台座１０と支柱１２の接続部分を跨るように配置されている。
【００２７】
電動機ケーシング２０の前端部から突出した電動機の回転軸にはファン（不図示）が取り付けられ、ファン（不図示）を囲むように前側ファンガード１６と後側ファンガード１８が取り付けられている。後側ファンガード１８は、電動機ケーシング２０の前端側に固定された略ラッパ状の取付板２６に取り付けられ、前側ファンガード１６の円環状の外枠１６ａが後側ファンガード１８の円環状の外枠１８ａに嵌め込まれるようにして固定されている。
【００２８】
前側ファンガード１６には、渦巻き状に形成されたリブ１６ｂが設けられ、ファン（不図示）によって生成された気流がリブ１６ｂを通過することによって渦巻き状に吹き出されて、より遠方に送風されるように構成されている。
【００２９】
前側ファンガード１６と比べて効果が少ないが、より遠方への送風効果を得るために、後側ファンガード１８にも渦巻き形状のリブ１８ｂが形成されている。尚、後側ファンガード１８のリブは、渦巻き形状に限ることはなく、中心から放射状に延出形成されるように構成されていてもよい。
【００３０】
取付板２６の周方向には複数のスリット２６ａが形成されており、このスリット２６ａから空気が吸い込まれるように構成されている。
【００３１】
図１（ａ），図２（ａ）に示すように、支柱１２は、下方から順に台座１０に固定された第１支柱１２ａ、第２支柱１２ｂ、第３支柱１２ｃの三本が連結可能に構成され、最上部の第３支柱１２ｃに電動機ケーシング２０のケース連結筒部２０ｂが連結されている。
【００３２】
第２支柱１２ｂ及び第３支柱１２ｃはそれぞれ異なる長さに形成され、第１支柱１２ａとケース連結筒部２０ｂとの間に何れか一方または双方を連結することにより、台座１０から電動機ケーシング２０までの高さが調整可能に構成されている。
【００３３】
一方の支柱に他方の支柱を嵌め込み固定するため、他方の支柱の端部の内径が僅かに小さく形成されている。各支柱の連結部には電動機ケーシング２０に収容された電動機に電力を供給するための端子が設けられ、連結状態を維持するための機械式のロック機構が組み込まれている。
【００３４】
そして、各支柱１２ａ，１２ｂ，１２ｃの連結部には、ロック機構によるロック状態を解除するための解除操作部である押込みボタン１３ａ，１３ｂ，１３ｃが設けられ、当該押込みボタン１３ａ，１３ｂ，１３ｃを押込み操作して上方の支柱を上方に引き上げることにより連結状態が解除されるように構成されている。
【００３５】
図２（ｂ）に示すように、扇風機１００を収納する場合には、支柱１２ａとケース連結筒部２０ｂとの間に連結された支柱１２ｂ，１２ｃを取り外し、電動機ケーシング２０の格納部２０ｃ（図２（ａ）参照）からコネクタカバー２４（図２（ａ）参照）を取り外して、その部位を台座１０に固定された第１支柱１２ａに差し込むように構成されている。
【００３６】
前側ファンガード１６及び後側ファンガード１８が電動機ケーシング２０に取り付けられた状態で、台座１０と電動機ケーシング２０がコンパクトに連結され、台座１０と電動機ケーシング２０との間の僅かな隙間に支柱１２ｂ，１２ｃを配置することで、収納スペースが限りなく小さくなる。
【００３７】
図３（ａ），（ｂ）に示すように、電動機ケーシング２０の上部には、扇風機１００を持上げ或いは移動するための把持部３０が設けられている。当該把持部３０は側面視でＬ字形の樹脂部材で構成され、一端が電動機ケーシング２０の前端側に固定された取付板２６に嵌め込み固定され、他端が電動機ケーシング２０の後端側上面に固定されている。
【００３８】
当該把持部３０に遠隔制御装置４０を装入する収容構造が具現化されている。以下、遠隔制御装置４０の収容構造について詳述する。
【００３９】
遠隔制御装置４０は薄肉で略直方体形状に構成されたケーシング４１と、ケーシング４１の上面に設けられた操作ボタン４３と、ケーシング４１の前端部に設けられた遠隔制御用の無線信号出力部である赤外線出力部４２（図には、符号のみ表されている。）と、ケーシング４１の裏面に設けられた電池交換蓋４１ａと、ケーシング４１の内部に収容された制御基板等を備えて構成されている。
【００４０】
操作ボタン４３として、扇風機１００へ給電して作動させる電源操作ボタン４３ａ、風量調節ボタン４３ｂ、首振り操作ボタン４３ｃ、タイマー設定ボタン４３ｄ等が設けられている。
【００４１】
把持部３０には、その長手方向に沿って上方に開口された凹部３０ａが形成されている。凹部３０ａの長さ、幅、深さは、上述の遠隔制御装置４０が装入可能なサイズに形成され、凹部３０ａ及び遠隔制御装置４０には、遠隔制御装置４０が装入された後に凹部３０ａから遠隔制御装置４０が容易に離脱しないように遠隔制御装置４０を保持する保持機構５０が設けられている。
【００４２】
保持機構５０は、凹部３０ａの一端側つまり電動機ケーシング２０の後端側の両側内壁に形成された一対の係止突起５１と、遠隔制御装置４０の左右両側部に形成された一対の係合凹部５２とで構成され、遠隔制御装置４０の底面が凹部３０ａの底部に対向するように遠隔制御装置４０を上方から凹部３０ａに軽く押し込むことによって、一対の係止突起５１が一対の係合凹部５２に嵌まり込み、その装入状態が維持されるように構成されている。
【００４３】
保持機構５０に保持された遠隔制御装置４０を取り外す場合には、凹部３０ａの一端側からそのケーシング４１の後端部に指を掛け、凹部３０ａの底面とケーシング４１との僅かな隙間に指先を宛がって上方に持上げることにより、係止突起５１と係合凹部５２との係合状態を解除すればよい。
【００４４】
図５（ａ）に示すように、取付板２６に嵌め込み固定された凹部３０ａの一端側、つまり赤外線出力部４２（図３（ｂ）参照）に対向する部位に開口３１が形成されている。凹部３０ａに装入され保持機構５０によって保持された状態で遠隔制御装置４０の操作ボタン４３を操作すると、ケーシング４１の前端部の赤外線出力部４２から赤外線による操作信号が出力される。受光部１４は前述したように台座１０と支柱１２との接続部に跨るように配置されているため、開口３１を通過した後にファンガード１６，１８に収容されたファンに反射し、或いは室内の壁に反射した操作信号は受光部１４（図１（ａ）参照）に入射される。
【００４５】
受光部１４で検出された赤外線操作信号は、台座１０の内部に収容された制御基板に入力され、制御基板に設けられた制御部によって各操作信号に対応した扇風機１００の作動制御が行なわれる。
【００４６】
従って、把持部３０または把持部３０の近傍に別途の受信部を設けなくても、その状態で遠隔制御装置４０を操作して扇風機１００を作動させることができるようになる。
【００４７】
上述の構成によれば、操作者は起立姿勢で扇風機１００の上部側に設けられた把持部３０を掌で支えて持上げたり移動させたりすることができ、そのような把持部３０に形成された凹部３０ａに遠隔制御装置４０が装入され、保持機構５０によって容易に離脱しないように保持されるので、遠隔制御装置４０がその存在を強力に主張するようなことが無く、装置全体として纏まりのある美観が得られるようになる。
【００４８】
また、凹部３０ａに遠隔制御装置４０を装入し或いは凹部３０ａから遠隔制御装置４０を取り外す際でも腰を屈めることなく起立姿勢を保ったままで作業することができ、しかも、そのような姿勢で扇風機１００を操作することも可能になるので、中腰姿勢で前屈みになって操作する必要が無く、極めて容易に操作することができるようになる。
【００４９】
以下、別実施形態を説明する。
遠隔制御装置４０の収容構造の一部を構成する保持機構５０は、図３（ｂ）で説明したような構成に限るものではなく、様々な態様を採用することができる。
例えば、図４（ａ）に示すように、保持機構５０は、凹部３０ａの他端側つまり取付板２６側の両側内壁に形成された一対の係止突起５１と、遠隔制御装置４０のケーシング４１左右両側部に形成された一対の係合凹部５２とで構成されていてもよい。
【００５０】
上述と同様に、遠隔制御装置４０の底面が凹部３０ａの底部に対向するように遠隔制御装置４０を上方から凹部３０ａに軽く押し込むことによって、一対の係止突起５１が一対の係合凹部５２に嵌まり込み、その装入状態が維持されるようになる。
【００５１】
保持機構５０に保持された遠隔制御装置４０を取り外す場合には、凹部３０ａの一端側からそのケーシング４１の後端部に指を掛け、凹部３０ａの底面とケーシング４１との僅かな隙間に指先を宛がって上方に持上げることにより、係止突起５１と係合凹部５２との係合状態を解除すればよい点も上述と同様であるが、係止突起５１と係合凹部５２による係合部がケーシング４１の後端部から離れているために、ケーシング４１の後端部をほんの僅かな力で持上げるだけで、係合状態を解除するための大きなモーメントが発生して、容易に係合状態から離脱させることができるようになる。
【００５２】
例えば、図４（ｂ）に示すように、保持機構５０は、凹部３０ａの左右側壁内側に長手方向に突出形成されたガイドレール５３と、遠隔制御装置４０のケーシング４１の左右両側部に形成された一対の係合溝部５４とで構成されていてもよい。凹部３０ａの一端側つまり電動機ケーシング２０の後端側から係合溝部５４をガイドレール５３に装入し、そのまま押し込むことによって遠隔制御装置４０が凹部３０ａに装入され、その状態が維持される。
【００５３】
ガイドレール５３は水平姿勢に形成されていてもよいが、奥行き側が次第に下方に下がる傾斜姿勢に構成され、そのガイドレール５３に対応するように遠隔制御装置４０のケーシング４１に形成された係合溝部５４も同様に傾斜姿勢に構成されると、電動機ケーシング２０が上下に搖動しても遠隔制御装置４０が容易に落下するようなことが無い。
【００５４】
図４（ｂ）に示した構造と反対に、凹部３０ａに係合溝部５４が形成され、遠隔制御装置４０のケーシング４１にガイドレール５３が形成されていてもよい。
【００５５】
さらに、凹部３０ａに板状またはチップ状の強磁性体（磁石）を配するとともに、遠隔制御装置４０を凹部３０ａに装入した状態で当該強磁性体に対向するケーシング４１部位に鉄、コバルト、ニッケルまたはこれらの合金でなる金属片を配置し、磁力で遠隔制御装置４０を凹部３０ａに保持するような保持機構を設けてもよい。
【００５６】
上述した実施形態では、取付板２６に嵌め込み固定された凹部３０ａの一端側に形成された開口３１に何らの部材も配置されていない例を説明したが、図５（ｂ）に示すように、取付板２６に嵌め込み固定された凹部３０ａの一端側に形成された開口３１のうち、赤外線出力部４２から出力された赤外線の伝播を遮らない位置にリブ３１ａを形成して、把持部３０の強度を上げるように構成してもよい。本例では、ケーシング４１の前端部の左右中央部に設けられた赤外線出力部４２に対して、その左右両側に縦方向に２本のリブ３１ａ，３１ｂが形成されている。
【００５７】
図６（ａ）から（ｄ）に示すように、凹部３０ａは、遠隔制御装置４０が装入された状態で凹部３０ａの上端部３０ｂ（図中、二点鎖線で示すレベル）が遠隔制御装置４０の上端部より上方に位置するように形成されている。具体的に、遠隔制御装置４０のケーシング４１の上面から上方に突出するように配置された各操作ボタン４３の上面が、凹部３０ａの上端部３０ｂよりも低い位置になるように設定されていることが好ましい。
【００５８】
このような構成によれば、操作者が把持部３０を掌で支える際に、把持部３０に巻きつけた指先が凹部３０ａに収容された遠隔制御装置４０に接触するようなことがあっても、凹部３０ａの上端部が遠隔制御装置４０の上端部より上方に位置するように形成されているので指の動きが制限され、意図せずに遠隔制御装置の操作ボタン４３を操作してしまうようなことが効果的に回避できる。
【００５９】
図６（ｂ）に示すように、各操作ボタン４３の上面が操作者の指の腹にフィットするような凹部形状に構成されていることが好ましく、操作ボタンを押下するときに良好な押し心地が得られるようになる。
【００６０】
図６（ｃ）に示すように、各操作ボタン４３の上面が遠隔制御装置４０のケーシング４１の上面より低い位置になるように構成されていると、操作時に意図的に操作ボタン４３を押下する必要があるので、遠隔制御装置４０が装入された状態の把持部３０を把持したときのみならず、把持部３０から離脱した遠隔制御装置４０を手で持って操作する場合にも操作者が誤って操作ボタン４３を押下することが防止できる。
【００６１】
各操作ボタン４３の構造は特に限定されるものではなく、図６（ａ），（ｂ），（ｃ）に示すように、内部接点をバネで支持されたキートップで押下するタクタイルスイッチや、図６（ｄ）に示すように、上部接点シートと下部接点シートとをスペーサー部材を挟んで貼り合わせたメンブレンスイッチ等のモーメンタリースイッチ等を好適に用いることができる。
【００６２】
さらに、各操作ボタン４３はハードウェアスイッチで構成される態様に限るものではなく、例えばケーシング４１の上面に液晶表示部を設けて、その液晶表示部上面に透明電極シート等が配されたタッチパネル式の操作ボタン、つまりソフトウェアスイッチで構成されていてもよい。
【００６３】
図６（ｅ），（ｆ）に示すように、把持部３０の下縁を下側に凸の湾曲形状に形成すると、操作者の掌や指に掛かる圧力分布が一様になるので、多少の重量であっても、痛みを感じたり不快感等を抱いたりすることなく持上げることが可能になる。把持部３０の底部は図６（ｅ）のように平面に形成されていてもよいし、図６（ｆ）のように下縁と同様の湾曲形状に形成されていてもよい。
【００６４】
上述した遠隔制御装置４０の収容構造は、把持部３０の長手方向に沿って上方に開口された凹部３０ａを備えた例を説明したが、図６（ｇ）に示すように、把持部３０の長手方向に沿って下方に開口された凹部３０ａを備え、遠隔制御装置４０の操作面が凹部３０ａの上面と対向するように遠隔制御装置４０を凹部３０ａに装入するように構成してもよい。
【００６５】
このような構成によれば、把持部３０を強く握りしめても操作ボタンを誤って操作するようなことが無い。尚、図６（ｈ）に示すように、凹部３０ａの上面に操作用の開口またはスリット３０ｃを形成しておけば、操作用の開口またはスリット３０ｃから操作ボタン４３を操作することができるようになる。この場合、保持機構５０は上述した例と同様の構成で実現できる。
【００６６】
同様に、把持部の長手方向に沿って左右何れかの側方に開口された凹部を備え、当該凹部に遠隔制御装置を装入するように構成してもよい。この場合も、遠隔制御装置の操作面が凹部の反開口側の壁部と対向するように遠隔制御装置を凹部に装入するように構成することが好ましく、同様に凹部の反開口側の壁部に操作用の開口またはスリットを形成しておけば、操作用の開口またはスリットから操作ボタンを操作することができるようになる。この場合も、保持機構５０は上述した例と同様の構成で実現できる。
【００６７】
上述した何れの実施形態でも、把持部が電動機ケーシングの長手方向に沿って形成された態様を説明したが、長手方向と交差する方向に把持部が配置されていてもよく、その把持部に上述した各収容構造が実現されるように構成されていればよい。
【００６８】
以上、遠隔制御装置の収容構造が扇風機に組み込まれた例を説明したが、本発明による遠隔制御装置の収容構造は、扇風機以外に暖房機等の家庭やオフィスで使用される様々な電気機器に適用することができる。
【００６９】
上述した実施形態で説明した遠隔制御装置の収容構造は、何れも一具体例であり、本発明による遠隔制御装置の収容構造は、このような具体例に限定されるものではなく、各部の具体的な形状、大きさ、材料等は、サイズの一具体例であり、本発明の作用効果を奏する範囲において適宜変更することができることはいうまでもない。
【符号の説明】
【００７０】
２０：電動機ケーシング
３０：把持部
３０ａ：凹部
４０：遠隔制御装置
４１：ケーシング
４３：操作ボタン
５０：保持機構
５１：係止突起
５２：係合凹部
１００：扇風機（装置本体）
【図１】
2015158183.tif 000003
【図２】
2015158183.tif 000004
【図３】
2015158183.tif 000005
【図４】
2015158183.tif 000006
【図５】
2015158183.tif 000007
【図６】
2015158183.tif 000008
【手続補正書】
【提出日】平成26年9月12日(2014.9.12)
【手続補正１】
【補正対象書類名】特許請求の範囲
【補正対象項目名】全文
【補正方法】変更
【補正の内容】
【特許請求の範囲】
【請求項１】
装置本体を作動制御する遠隔制御装置の収容構造であって、
前記装置本体を持上げまたは移動するために把持する把持部が前記装置本体のケーシングの上面にケーシングとは間隙を空けて対向するように設けられ、
前記把持部に、上方に開口され前記遠隔制御装置がその操作部を操作可能な上向き姿勢で装入される凹部が形成され、
前記凹部に前記遠隔制御装置を装入することにより、前記遠隔制御装置に形成された係合凹部または係合突起と前記凹部に形成された係合突起または係合凹部とが係合して、前記凹部に装入された前記遠隔制御装置を保持する保持機構が設けられていることを特徴とする遠隔制御装置の収容構造。
【請求項２】
前記凹部が前記把持部の長手方向に沿って前記遠隔制御装置の厚み以上の深さに形成され、前記遠隔制御装置の長手方向が前記把持部の長手方向に沿う姿勢で前記凹部に装入されることを特徴とする請求項１記載の遠隔制御装置の収容構造。
【請求項３】
前記凹部は、前記遠隔制御装置が装入された状態で前記凹部の上端部が前記遠隔制御装置の上端部より上方に位置するように形成されていることを特徴とする請求項１または２記載の遠隔制御装置の収容構造。
【請求項４】
前記遠隔制御装置の一端面に遠隔制御用の無線信号出力部が設けられ、前記凹部の前記信号出力部に対向する部位に開口が形成されていることを特徴とする請求項１から３の何れかに記載の遠隔制御装置の収容構造。
【請求項５】
台座に立設された支柱に電動機ケーシングが取り付けられ、前記電動機ケーシングに取付板を介してファンガードが取り付けられた扇風機であって、
一端が前記電動機ケーシング後端側上面から立上り、他端が前記取付板に固定された側面視Ｌ字形の把持部が設けられ、
前記把持部に請求項１から４の何れかに記載の遠隔制御装置の収容構造が組み込まれていることを特徴とする扇風機。
【手続補正２】
【補正対象書類名】明細書
【補正対象項目名】全文
【補正方法】変更
【補正の内容】
【発明の詳細な説明】
【技術分野】
【０００１】
本発明は、装置本体を作動制御する遠隔制御装置の収容構造及び当該収容構造を備えた扇風機に関する。
【背景技術】
【０００２】
扇風機や暖房機等、家庭やオフィスで様々な電気機器が使用されている。そして、これら電気機器の利便性をあげるために遠隔制御装置（以下、単に「リモコン」と表記する場合もある。）が提供されている。
【０００３】
このような電気機器の装置本体には、使用しない時にリモコンを紛失しないように、リモコンを取付け可能な収容構造が組み込まれている。
【０００４】
例えば、特許文献１には、ファンモータを支持する支柱を設けた基台部と、前記支柱の側面に設けた一対の縦溝と、この縦溝に係合する爪を両端に有し、前記支柱の略半面部分を帯状に囲むＣ型形状でリモコン用の掛部を設けたリモコンホルダーとを備え、前記リモコンホルダーの爪を前記支柱の縦溝に弾性係合して保持させる構成とした扇風機が提案されている。
【０００５】
また、特許文献２には、リモコンの置き忘れや紛失を防止し、遠隔操作可能な状態でコンパクトにリモコンを収納することが可能な扇風機を提供することを目的として、駆動する電動機を支持し制御部を備えた支持部と、この支持部に嵌合可能な基台と、遠隔操作可能なリモコンとを備え、前記リモコンの面が前記支持部の面と同一面か又は前記支持部の面よりも突出するように、前記リモコンを収納する収納部を前記支持部に設けたことを特徴とする扇風機が提案されている。
【先行技術文献】
【特許文献】
【０００６】
【特許文献１】特開２００３−２９３９８３号公報
【特許文献２】特開２００５−２４８７３５号公報
【発明の概要】
【発明が解決しようとする課題】
【０００７】
しかし、特許文献１に開示されたリモコンの収容構造では、ファンモータを支持する支柱に取り付けられたリモコンホルダーによって扇風機全体としての美観が損なわれるという問題があり、またリモコンを使用する際に中腰姿勢で前屈みになってリモコンホルダーに掛けられたリモコンを取り外す必要があり、特に高齢者にとって負担が大きく、場合によっては腰痛を誘発する虞があるという問題もあった。
【０００８】
また、操作が必要になる度に前屈みになってリモコンホルダーに掛けられたリモコンを操作するのは非常に煩雑であるため、リモコンホルダーからリモコンを取り外して手元に置いておく場合が多く、その結果、リモコンを紛失することも度々発生するという問題もあった。
【０００９】
特許文献２に記載されたリモコンの収容構造では、基台に嵌合された支持部にリモコン収容部が設けられ、リモコン収容部にリモコンが収容された状態で操作可能に構成されているため、リモコンの置き忘れや紛失を回避できるが、床面近くに設置されたリモコンを操作するために、上述と同様に中腰姿勢で前屈みにならざるを得ないため作業性が悪くなるという問題があった。
【００１０】
また、リモコン収納部の底面に構成された操作部を操作することにより、扇風機本体の各部の動作を制御できるように構成されているが、主操作装置となるリモコンに対して副操作装置という位置付けで、一つの操作部に複数の機能を集約しているため、作業性のみならず操作性も悪いという問題もあった。
【００１１】
同様の問題は扇風機に限るものではなく、暖房機等のその他の電気機器であっても同様であった。
【００１２】
本発明の目的は、上述した従来の問題点に鑑み、装置全体のデザイン性を損なうことなく、操作のための良好な作業性を確保できる遠隔制御装置の収容構造及び扇風機を提供する点にある。
【課題を解決するための手段】
【００１３】
上述の目的を達成するため、本発明による遠隔制御装置の収容構造の第一の特徴構成は、特許請求の範囲の書類の請求項１に記載した通り、装置本体を作動制御する遠隔制御装置の収容構造であって、前記装置本体を持上げまたは移動するために把持する把持部が前記装置本体のケーシングの上面にケーシングとは間隙を空けて対向するように設けられ、前記把持部に、上方に開口され前記遠隔制御装置がその操作部を操作可能な上向き姿勢で装入される凹部が形成され、前記凹部に前記遠隔制御装置を装入することにより、前記遠隔制御装置に形成された係合凹部または係合突起と前記凹部に形成された係合突起または係合凹部とが係合して、前記凹部に装入された前記遠隔制御装置を保持する保持機構が設けられている点にある。
【００１４】
上述した構成によれば、操作者は起立姿勢で装置本体の上部側に設けられた把持部を掌で支え或いは手で握って持上げたり移動させたりすることができ、そのような把持部に形成された凹部に遠隔制御装置が装入され、凹部に遠隔制御装置を装入することにより係合凹部と係合突起とが係合する保持機構によって容易に離脱しないように保持されるので、移動時に遠隔制御装置が離脱することもなく、装置全体として纏まりのある美観を損ねることの無い遠隔制御装置の収容構造が実現でき、凹部に遠隔制御装置を装入し或いは凹部から遠隔制御装置を取り外す際でも腰を屈めることなく起立姿勢を保ったままで作業することができるようになる。また、凹部に遠隔制御装置が装入された状態でその操作部が操作可能なため、中腰姿勢で前屈みになって操作する必要が無く、操作者は起立姿勢を保った状態で操作部を操作できるようになるので操作時の作業性も著しく改善される。
【００１５】
同第二の特徴構成は、同請求項２に記載した通り、上述の第一の特徴構成に加えて、前記凹部が前記把持部の長手方向に沿って前記遠隔制御装置の厚み以上の深さに形成され、前記遠隔制御装置の長手方向が前記把持部の長手方向に沿う姿勢で前記凹部に装入される点にある。
【００１６】
把持部の上面に長手方向に沿って形成された凹部に遠隔制御装置が装入されているので、把持部を幅狭に構成でき、容易く把持することができる。また、装置本体を持上げたり移動させたりするために当該把持部を把持しても、凹部が遠隔制御装置の厚み以上の深さに形成されているので、遠隔制御装置の操作部を誤って操作するようなことが無い。
【００１７】
同第三の特徴構成は、同請求項３に記載した通り、上述の第一または第二の特徴構成に加えて、前記凹部は、前記遠隔制御装置が装入された状態で前記凹部の上端部が前記遠隔制御装置の上端部より上方に位置するように形成されている点にある。
【００１８】
操作者が把持部を掌で支える際に、把持部に巻きつけた指先が凹部に収容された遠隔制御装置に接触するようなことがあっても、凹部の上端部が遠隔制御装置の上端部より上方に位置するように形成されているので指等の動きが制限され、意図せずに遠隔制御装置の操作部を操作してしまうようなことが効果的に回避できる。
【００１９】
同第四の特徴構成は、同請求項４に記載した通り、上述の第一から第三の何れかの特徴構成に加えて、前記遠隔制御装置の一端面に遠隔制御用の無線信号出力部が設けられ、前記凹部の前記信号出力部に対向する部位に開口が形成されている点にある。
【００２０】
凹部に装入された状態で遠隔制御装置の操作部が操作されると、遠隔制御装置に備えた無線信号出力部から遠隔操作用の信号、例えば赤外線信号が出力される。そのような遠隔操作用の信号は凹部で遮断されたり減衰したりすることなく、信号出力部に対向する部位に形成された開口から確実に外部空間に伝播するので、別途の受信部を把持部に設けなくてもその状態で遠隔制御装置を操作して装置本体を作動させることができるようになる。
【００２１】
本発明による扇風機の特徴構成は、同請求項５に記載した通り、台座に立設された支柱に電動機ケーシングが取り付けられ、前記電動機ケーシングに取付板を介してファンガードが取り付けられた扇風機であって、一端が前記電動機ケーシング後端側上面から立上り、他端が前記取付板に固定された側面視Ｌ字形の把持部が設けられ、前記把持部に上述した第一から第四の何れかの特徴構成を備えた遠隔制御装置の収容構造が組み込まれている点にある。
【００２２】
上述の構成によれば、遠隔制御装置がその存在を主張するかのような態様で装置本体に装着されることが無いので、装置全体のデザイン性を損なうことが無い。また、立位姿勢で容易に操作できるので足腰に負担がかかることなく扇風機を操作することができるようになる。
【発明の効果】
【００２３】
以上説明した通り、本発明によれば、装置全体のデザイン性を損なうことなく、操作のための良好な作業性を確保できる遠隔制御装置の収容構造及び扇風機を提供することができるようになった。
【図面の簡単な説明】
【００２４】
【図１】（ａ）は本発明による扇風機の斜視図、（ｂ）は同平面図
【図２】（ａ）は本発明による扇風機の背面図、（ｂ）は扇風機を分解してコンパクトに収容された状態を示す斜視図
【図３】（ａ）は本発明による遠隔制御装置の収容構造を示す要部の斜視図、（ｂ）は把持部と把持部に装入される遠隔制御装置の斜視図
【図４】（ａ）は別実施形態を示す把持部と把持部に装入される遠隔制御装置の斜視図、（ｂ）はさらに異なる実施形態を示す把持部と把持部に装入される遠隔制御装置の斜視図
【図５】（ａ）は本発明による遠隔制御装置の収容構造を示す要部の背面図、（ｂ）は別実施形態を示し、遠隔制御装置の収容構造を示す要部の背面図
【図６】（ａ）から（ｈ）は遠隔制御装置に備えた操作スイッチと、遠隔制御装置が装入された把持部の形状の多様な実施形態の説明図
【発明を実施するための形態】
【００２５】
以下に、本発明による遠隔制御装置の収容構造及び扇風機を図面に基づいて説明する。
図１（ａ），（ｂ）には、遠隔制御装置４０を含み、装置本体である扇風機１００の外観が示されている。扇風機１００は、平面視円形の樹脂製の台座１０と、台座１０の中心部から僅かに偏った位置に立設された樹脂製の支柱１２と、支柱１２の先端に取付けられた略円筒形状の樹脂製の電動機ケーシング２０とを備えて構成されている。
【００２６】
台座１０の中心部を挟んで支柱１２の立設位置とは反対側に外縁が長円形状の操作パネル１１が設置されている。操作パネル１１には、扇風機１００に給電する電源操作ボタン１１ａ、風量調節ダイヤル１１ｂ、首振り操作ボタン１１ｃ、タイマー設定ボタン１１ｄ等が設けられている。また、支柱１２の下端部には遠隔制御装置４０から出力される制御用の無線信号、本実施形態では赤外線信号を受信する受光部１４を備えている。受光部１４は台座１０と支柱１２の接続部分を跨るように配置されている。
【００２７】
電動機ケーシング２０の前端部から突出した電動機の回転軸にはファン（不図示）が取り付けられ、ファン（不図示）を囲むように前側ファンガード１６と後側ファンガード１８が取り付けられている。後側ファンガード１８は、電動機ケーシング２０の前端側に固定された略ラッパ状の取付板２６に取り付けられ、前側ファンガード１６の円環状の外枠１６ａが後側ファンガード１８の円環状の外枠１８ａに嵌め込まれるようにして固定されている。
【００２８】
前側ファンガード１６には、渦巻き状に形成されたリブ１６ｂが設けられ、ファン（不図示）によって生成された気流がリブ１６ｂを通過することによって渦巻き状に吹き出されて、より遠方に送風されるように構成されている。
【００２９】
前側ファンガード１６と比べて効果が少ないが、より遠方への送風効果を得るために、後側ファンガード１８にも渦巻き形状のリブ１８ｂが形成されている。尚、後側ファンガード１８のリブは、渦巻き形状に限ることはなく、中心から放射状に延出形成されるように構成されていてもよい。
【００３０】
取付板２６の周方向には複数のスリット２６ａが形成されており、このスリット２６ａから空気が吸い込まれるように構成されている。
【００３１】
図１（ａ），図２（ａ）に示すように、支柱１２は、下方から順に台座１０に固定された第１支柱１２ａ、第２支柱１２ｂ、第３支柱１２ｃの三本が連結可能に構成され、最上部の第３支柱１２ｃに電動機ケーシング２０のケース連結筒部２０ｂが連結されている。
【００３２】
第２支柱１２ｂ及び第３支柱１２ｃはそれぞれ異なる長さに形成され、第１支柱１２ａとケース連結筒部２０ｂとの間に何れか一方または双方を連結することにより、台座１０から電動機ケーシング２０までの高さが調整可能に構成されている。
【００３３】
一方の支柱に他方の支柱を嵌め込み固定するため、他方の支柱の端部の内径が僅かに小さく形成されている。各支柱の連結部には電動機ケーシング２０に収容された電動機に電力を供給するための端子が設けられ、連結状態を維持するための機械式のロック機構が組み込まれている。
【００３４】
そして、各支柱１２ａ，１２ｂ，１２ｃの連結部には、ロック機構によるロック状態を解除するための解除操作部である押込みボタン１３ａ，１３ｂ，１３ｃが設けられ、当該押込みボタン１３ａ，１３ｂ，１３ｃを押込み操作して上方の支柱を上方に引き上げることにより連結状態が解除されるように構成されている。
【００３５】
図２（ｂ）に示すように、扇風機１００を収納する場合には、支柱１２ａとケース連結筒部２０ｂとの間に連結された支柱１２ｂ，１２ｃを取り外し、電動機ケーシング２０の格納部２０ｃ（図２（ａ）参照）からコネクタカバー２４（図２（ａ）参照）を取り外して、その部位を台座１０に固定された第１支柱１２ａに差し込むように構成されている。
【００３６】
前側ファンガード１６及び後側ファンガード１８が電動機ケーシング２０に取り付けられた状態で、台座１０と電動機ケーシング２０がコンパクトに連結され、台座１０と電動機ケーシング２０との間の僅かな隙間に支柱１２ｂ，１２ｃを配置することで、収納スペースが限りなく小さくなる。
【００３７】
図３（ａ），（ｂ）に示すように、電動機ケーシング２０の上部には、扇風機１００を持上げ或いは移動するための把持部３０が設けられている。当該把持部３０は側面視でＬ字形の樹脂部材で構成され、一端が電動機ケーシング２０の前端側に固定された取付板２６に嵌め込み固定され、他端が電動機ケーシング２０の後端側上面に固定されている。
【００３８】
当該把持部３０に遠隔制御装置４０を装入する収容構造が具現化されている。以下、遠隔制御装置４０の収容構造について詳述する。
【００３９】
遠隔制御装置４０は薄肉で略直方体形状に構成されたケーシング４１と、ケーシング４１の上面に設けられた操作ボタン４３と、ケーシング４１の前端部に設けられた遠隔制御用の無線信号出力部である赤外線出力部４２（図には、符号のみ表されている。）と、ケーシング４１の裏面に設けられた電池交換蓋４１ａと、ケーシング４１の内部に収容された制御基板等を備えて構成されている。
【００４０】
操作ボタン４３として、扇風機１００へ給電して作動させる電源操作ボタン４３ａ、風量調節ボタン４３ｂ、首振り操作ボタン４３ｃ、タイマー設定ボタン４３ｄ等が設けられている。
【００４１】
把持部３０には、その長手方向に沿って上方に開口された凹部３０ａが形成されている。凹部３０ａの長さ、幅、深さは、上述の遠隔制御装置４０が装入可能なサイズに形成され、凹部３０ａ及び遠隔制御装置４０には、遠隔制御装置４０が装入された後に凹部３０ａから遠隔制御装置４０が容易に離脱しないように遠隔制御装置４０を保持する保持機構５０が設けられている。
【００４２】
保持機構５０は、凹部３０ａの一端側つまり電動機ケーシング２０の後端側の両側内壁に形成された一対の係止突起５１と、遠隔制御装置４０の左右両側部に形成された一対の係合凹部５２とで構成され、遠隔制御装置４０の底面が凹部３０ａの底部に対向するように遠隔制御装置４０を上方から凹部３０ａに軽く押し込むことによって、一対の係止突起５１が一対の係合凹部５２に嵌まり込み、その装入状態が維持されるように構成されている。
【００４３】
保持機構５０に保持された遠隔制御装置４０を取り外す場合には、凹部３０ａの一端側からそのケーシング４１の後端部に指を掛け、凹部３０ａの底面とケーシング４１との僅かな隙間に指先を宛がって上方に持上げることにより、係止突起５１と係合凹部５２との係合状態を解除すればよい。
【００４４】
図５（ａ）に示すように、取付板２６に嵌め込み固定された凹部３０ａの一端側、つまり赤外線出力部４２（図３（ｂ）参照）に対向する部位に開口３１が形成されている。凹部３０ａに装入され保持機構５０によって保持された状態で遠隔制御装置４０の操作ボタン４３を操作すると、ケーシング４１の前端部の赤外線出力部４２から赤外線による操作信号が出力される。受光部１４は前述したように台座１０と支柱１２との接続部に跨るように配置されているため、開口３１を通過した後にファンガード１６，１８に収容されたファンに反射し、或いは室内の壁に反射した操作信号は受光部１４（図１（ａ）参照）に入射される。
【００４５】
受光部１４で検出された赤外線操作信号は、台座１０の内部に収容された制御基板に入力され、制御基板に設けられた制御部によって各操作信号に対応した扇風機１００の作動制御が行なわれる。
【００４６】
従って、把持部３０または把持部３０の近傍に別途の受信部を設けなくても、その状態で遠隔制御装置４０を操作して扇風機１００を作動させることができるようになる。
【００４７】
上述の構成によれば、操作者は起立姿勢で扇風機１００の上部側に設けられた把持部３０を掌で支えて持上げたり移動させたりすることができ、そのような把持部３０に形成された凹部３０ａに遠隔制御装置４０が装入され、保持機構５０によって容易に離脱しないように保持されるので、遠隔制御装置４０がその存在を強力に主張するようなことが無く、装置全体として纏まりのある美観が得られるようになる。
【００４８】
また、凹部３０ａに遠隔制御装置４０を装入し或いは凹部３０ａから遠隔制御装置４０を取り外す際でも腰を屈めることなく起立姿勢を保ったままで作業することができ、しかも、そのような姿勢で扇風機１００を操作することも可能になるので、中腰姿勢で前屈みになって操作する必要が無く、極めて容易に操作することができるようになる。
【００４９】
以下、別実施形態を説明する。
遠隔制御装置４０の収容構造の一部を構成する保持機構５０は、図３（ｂ）で説明したような構成に限るものではなく、様々な態様を採用することができる。
例えば、図４（ａ）に示すように、保持機構５０は、凹部３０ａの他端側つまり取付板２６側の両側内壁に形成された一対の係止突起５１と、遠隔制御装置４０のケーシング４１左右両側部に形成された一対の係合凹部５２とで構成されていてもよい。
【００５０】
上述と同様に、遠隔制御装置４０の底面が凹部３０ａの底部に対向するように遠隔制御装置４０を上方から凹部３０ａに軽く押し込むことによって、一対の係止突起５１が一対の係合凹部５２に嵌まり込み、その装入状態が維持されるようになる。
【００５１】
保持機構５０に保持された遠隔制御装置４０を取り外す場合には、凹部３０ａの一端側からそのケーシング４１の後端部に指を掛け、凹部３０ａの底面とケーシング４１との僅かな隙間に指先を宛がって上方に持上げることにより、係止突起５１と係合凹部５２との係合状態を解除すればよい点も上述と同様であるが、係止突起５１と係合凹部５２による係合部がケーシング４１の後端部から離れているために、ケーシング４１の後端部をほんの僅かな力で持上げるだけで、係合状態を解除するための大きなモーメントが発生して、容易に係合状態から離脱させることができるようになる。
【００５２】
例えば、図４（ｂ）に示すように、保持機構５０は、凹部３０ａの左右側壁内側に長手方向に突出形成されたガイドレール５３と、遠隔制御装置４０のケーシング４１の左右両側部に形成された一対の係合溝部５４とで構成されていてもよい。凹部３０ａの一端側つまり電動機ケーシング２０の後端側から係合溝部５４をガイドレール５３に装入し、そのまま押し込むことによって遠隔制御装置４０が凹部３０ａに装入され、その状態が維持される。
【００５３】
ガイドレール５３は水平姿勢に形成されていてもよいが、奥行き側が次第に下方に下がる傾斜姿勢に構成され、そのガイドレール５３に対応するように遠隔制御装置４０のケーシング４１に形成された係合溝部５４も同様に傾斜姿勢に構成されると、電動機ケーシング２０が上下に搖動しても遠隔制御装置４０が容易に落下するようなことが無い。
【００５４】
図４（ｂ）に示した構造と反対に、凹部３０ａに係合溝部５４が形成され、遠隔制御装置４０のケーシング４１にガイドレール５３が形成されていてもよい。
【００５５】
さらに、凹部３０ａに板状またはチップ状の強磁性体（磁石）を配するとともに、遠隔制御装置４０を凹部３０ａに装入した状態で当該強磁性体に対向するケーシング４１部位に鉄、コバルト、ニッケルまたはこれらの合金でなる金属片を配置し、磁力で遠隔制御装置４０を凹部３０ａに保持するような保持機構を設けてもよい。
【００５６】
上述した実施形態では、取付板２６に嵌め込み固定された凹部３０ａの一端側に形成された開口３１に何らの部材も配置されていない例を説明したが、図５（ｂ）に示すように、取付板２６に嵌め込み固定された凹部３０ａの一端側に形成された開口３１のうち、赤外線出力部４２から出力された赤外線の伝播を遮らない位置にリブ３１ａを形成して、把持部３０の強度を上げるように構成してもよい。本例では、ケーシング４１の前端部の左右中央部に設けられた赤外線出力部４２に対して、その左右両側に縦方向に２本のリブ３１ａ，３１ｂが形成されている。
【００５７】
図６（ａ）から（ｄ）に示すように、凹部３０ａは、遠隔制御装置４０が装入された状態で凹部３０ａの上端部３０ｂ（図中、二点鎖線で示すレベル）が遠隔制御装置４０の上端部より上方に位置するように形成されている。具体的に、遠隔制御装置４０のケーシング４１の上面から上方に突出するように配置された各操作ボタン４３の上面が、凹部３０ａの上端部３０ｂよりも低い位置になるように設定されていることが好ましい。
【００５８】
このような構成によれば、操作者が把持部３０を掌で支える際に、把持部３０に巻きつけた指先が凹部３０ａに収容された遠隔制御装置４０に接触するようなことがあっても、凹部３０ａの上端部が遠隔制御装置４０の上端部より上方に位置するように形成されているので指の動きが制限され、意図せずに遠隔制御装置の操作ボタン４３を操作してしまうようなことが効果的に回避できる。
【００５９】
図６（ｂ）に示すように、各操作ボタン４３の上面が操作者の指の腹にフィットするような凹部形状に構成されていることが好ましく、操作ボタンを押下するときに良好な押し心地が得られるようになる。
【００６０】
図６（ｃ）に示すように、各操作ボタン４３の上面が遠隔制御装置４０のケーシング４１の上面より低い位置になるように構成されていると、操作時に意図的に操作ボタン４３を押下する必要があるので、遠隔制御装置４０が装入された状態の把持部３０を把持したときのみならず、把持部３０から離脱した遠隔制御装置４０を手で持って操作する場合にも操作者が誤って操作ボタン４３を押下することが防止できる。
【００６１】
各操作ボタン４３の構造は特に限定されるものではなく、図６（ａ），（ｂ），（ｃ）に示すように、内部接点をバネで支持されたキートップで押下するタクタイルスイッチや、図６（ｄ）に示すように、上部接点シートと下部接点シートとをスペーサー部材を挟んで貼り合わせたメンブレンスイッチ等のモーメンタリースイッチ等を好適に用いることができる。
【００６２】
さらに、各操作ボタン４３はハードウェアスイッチで構成される態様に限るものではなく、例えばケーシング４１の上面に液晶表示部を設けて、その液晶表示部上面に透明電極シート等が配されたタッチパネル式の操作ボタン、つまりソフトウェアスイッチで構成されていてもよい。
【００６３】
図６（ｅ），（ｆ）に示すように、把持部３０の下縁を下側に凸の湾曲形状に形成すると、操作者の掌や指に掛かる圧力分布が一様になるので、多少の重量であっても、痛みを感じたり不快感等を抱いたりすることなく持上げることが可能になる。把持部３０の底部は図６（ｅ）のように平面に形成されていてもよいし、図６（ｆ）のように下縁と同様の湾曲形状に形成されていてもよい。
【００６４】
上述した遠隔制御装置４０の収容構造は、把持部３０の長手方向に沿って上方に開口された凹部３０ａを備えた例を説明したが、図６（ｇ）に示すように、把持部３０の長手方向に沿って下方に開口された凹部３０ａを備え、遠隔制御装置４０の操作面が凹部３０ａの上面と対向するように遠隔制御装置４０を凹部３０ａに装入するように構成してもよい。
【００６５】
このような構成によれば、把持部３０を強く握りしめても操作ボタンを誤って操作するようなことが無い。尚、図６（ｈ）に示すように、凹部３０ａの上面に操作用の開口またはスリット３０ｃを形成しておけば、操作用の開口またはスリット３０ｃから操作ボタン４３を操作することができるようになる。この場合、保持機構５０は上述した例と同様の構成で実現できる。
【００６６】
同様に、把持部の長手方向に沿って左右何れかの側方に開口された凹部を備え、当該凹部に遠隔制御装置を装入するように構成してもよい。この場合も、遠隔制御装置の操作面が凹部の反開口側の壁部と対向するように遠隔制御装置を凹部に装入するように構成することが好ましく、同様に凹部の反開口側の壁部に操作用の開口またはスリットを形成しておけば、操作用の開口またはスリットから操作ボタンを操作することができるようになる。この場合も、保持機構５０は上述した例と同様の構成で実現できる。
【００６７】
上述した何れの実施形態でも、把持部が電動機ケーシングの長手方向に沿って形成された態様を説明したが、長手方向と交差する方向に把持部が配置されていてもよく、その把持部に上述した各収容構造が実現されるように構成されていればよい。
【００６８】
以上、遠隔制御装置の収容構造が扇風機に組み込まれた例を説明したが、本発明による遠隔制御装置の収容構造は、扇風機以外に暖房機等の家庭やオフィスで使用される様々な電気機器に適用することができる。
【００６９】
上述した実施形態で説明した遠隔制御装置の収容構造は、何れも一具体例であり、本発明による遠隔制御装置の収容構造は、このような具体例に限定されるものではなく、各部の具体的な形状、大きさ、材料等は、サイズの一具体例であり、本発明の作用効果を奏する範囲において適宜変更することができることはいうまでもない。
【符号の説明】
【００７０】
２０：電動機ケーシング
３０：把持部
３０ａ：凹部
４０：遠隔制御装置
４１：ケーシング
４３：操作ボタン
５０：保持機構
５１：係止突起
５２：係合凹部
１００：扇風機（装置本体）